(57)【要約】【課題】タッチパネル式の入力手段を備えたプリント注文受付装置の操作を容易にする。【解決手段】ディスプレイ１２に表示させるプリント注文画面を制御するコントローラ２０を備える。各プリント注文画面は、タッチパネル１３によって接触操作される操作アイコンを含む操作領域と、操作アイコンを含まない非操作領域とに分けられる。操作領域は、複数のプリント注文画面間で互いに同じ位置に設定される。【選択図】図８
2006331230.tif 000002
【特許請求の範囲】
【請求項１】
各種画面を表示する表示手段と、上記表示手段によって表示された画面に対する入力を行うために操作者が接触操作するタッチパネル式の入力手段と、上記表示手段に表示させるプリント注文画面を制御する制御手段と、を備えたプリント注文受付装置であって、
上記制御手段は、上記プリント注文に必要な複数の設定項目を設定させるために、その複数の設定項目それぞれに対応する複数のプリント注文画面を、上記入力手段からの入力信号に応じて上記表示手段に対し順に表示させ、
上記各プリント注文画面は、上記タッチパネル式の入力手段によって接触操作される操作アイコンを含む操作領域と、上記操作アイコンを含まない非操作領域とに分けられており、
上記操作領域は、上記複数のプリント注文画面間で互いに同じ位置に設定されるプリント注文受付装置。
【発明の詳細な説明】
【技術分野】
【０００１】
本発明は、画像情報についてのプリント注文を受け付けるプリント注文受付装置に関する。
【背景技術】
【０００２】
例えば特許文献１には、ＤＰ店等に設置される写真プリント装置のプリント注文受付装置が開示されている。この受付装置は、記憶媒体から画像情報を読み込む読込手段としての媒体ドライブと、表示手段としての液晶画面と、入力手段としてのタッチパネルと、を備えていて、上記液晶画面にプリント注文画面を順に表示しながら、各プリント注文画面において、顧客がタッチパネルの接触操作により所望の選択及び設定等を行い、それによって、記憶媒体に記憶されている画像情報のプリント注文を受け付ける注文処理を行う。そうして、注文入力の完了後に、顧客に渡すための注文受付証控えを印字する。
【０００３】
このプリント注文受付装置を備えたプリントシステムは、上述したように受付装置から出力された受付証を顧客がＤＰ店の担当者に手渡しすることによって、その担当者が、受付装置からプリント情報をネットワークを介して写真プリント装置に取り込んで、その写真プリント装置によって上記画像情報の複写画像を銀塩印画紙に形成すると共に、プリントされた印画紙を代金と引き替えに顧客に手渡しするようになっている。
【特許文献１】特開２００３−７５９３０号公報
【発明の開示】
【発明が解決しようとする課題】
【０００４】
ここで、このような受付装置は、ＤＰ店の省力化に寄与するために、原則として顧客自らによって操作されるものであり、受付装置において顧客が注文操作を行う際には、アイコン等を含むＧＵＩによって構成されたプリント注文画面を表示すると共に、顧客がそのプリント注文画面に対する選択・入力をタッチパネルの接触操作によって行うという、受付装置と顧客との間の対話形式のインタフェースによって、顧客は複数の設定項目を順に設定することになる。
【０００５】
しかしながら、タッチパネル式の入力手段を備えた装置においてＧＵＩによって構成される画面には操作可能な操作アイコン等がその画面内の様々な位置に配置されており、操作アイコンは、複数の画面間で同じ位置にはないことが一般的である。そのため、上記のプリント注文受付装置においても、操作者は各プリント注文画面において、どこに操作アイコンが位置しているのか、またどの操作アイコンを操作すればよいのか、がわかり難い。その結果、各注文画面において誤った操作（例えば表示面上の誤った位置を接触する操作）が行われたり、各注文画面における操作に長い時間がかかってしまったりして、顧客にかかる負担が大きくなると共に、一人の顧客によって装置を占有する時間が相対的に長くなり、顧客の回転率が低下してしまうことにもなる。
【０００６】
このようにプリント注文受付装置には、それを操作する者が一般の顧客であることから、できる限りユーザフレンドリーなインタフェースが求められる。
【０００７】
本発明は、かかる点に鑑みてなされたものであり、その目的とするところは、タッチパネル式の入力手段を備えたプリント注文受付装置の操作を容易にすることにある。
【課題を解決するための手段】
【０００８】
本発明のプリント注文受付装置は、各種画面を表示する表示手段と、上記表示手段によって表示された画面に対する入力を行うために操作者が接触操作するタッチパネル式の入力手段と、上記表示手段に表示させるプリント注文画面を制御する制御手段と、を備えた装置である。
【０００９】
そして、上記制御手段は、上記プリント注文に必要な複数の設定項目を設定させるために、その複数の設定項目それぞれに対応する複数のプリント注文画面を、上記入力手段からの入力信号に応じて上記表示手段に対し順に表示させ、上記各プリント注文画面は、上記タッチパネル式の入力手段によって接触操作される操作アイコンを含む操作領域と、上記操作アイコンを含まない非操作領域とに分けられており、上記操作領域は、上記複数のプリント注文画面間で互いに同じ位置に設定される。
【００１０】
この構成によると、プリント注文に必要な複数の設定項目を設定するために、表示手段によって操作者（顧客）に対し表示される各プリント注文画面において、操作領域（タッチパネル式の入力手段によって操作される操作アイコンを含む領域）が、複数のプリント注文画面間で互いに同じ位置に設定される。これによって、操作者は各プリント注文画面において、どの位置に操作アイコンが位置しているかを容易に理解することができる。その結果、顧客は表示面上の誤った位置を接触操作することがなくなり、顧客による操作の動作が的確に行われると共に、その操作に要する時間の短縮が期待できる。
【００１１】
また、タッチパネル式の入力手段を備える場合、操作者が接触することによって表示手段の表示面が汚れやすいが、上記の構成では表示面における特定の部分、つまり操作領域に相当する部分のみが接触されるため、その他の部分、つまり非操作領域に相当する部分が汚れることは抑制される。特にプリント注文受付装置では、画像情報や、その画像情報を補正するための画面（例えば補正後の画像情報を示すシミュレーション画像情報）が表示手段に表示されるが、各注文画面を接触領域と非接触領域とに分けかつ、接触領域を常に同じ位置に配置することによって、非操作領域に表示される画像情報は、表示手段の表示面における比較的きれいな部分に表示されることになり、画像情報の色調整等の補正を行う上で有用である。
【発明の効果】
【００１２】
以上説明したように、本発明のプリント注文受付装置によると、各プリント注文画面を操作領域と非操作領域とに分け、その操作領域を複数のプリント注文画面間で同じ位置に配置することによって、操作者に対して、どの位置に操作アイコンが位置しているかを容易に理解させることができる。その結果、操作者は、各プリント注文画面において、的確に選択操作を実行すると共に、しかも比較的短時間で注文操作を行うことができ、一般の顧客が操作する受付装置において、ユーザフレンドリーなインタフェースが構成される。
【００１３】
また、一人の顧客が装置を占有する時間の短縮が図られることにもなり、顧客の回転率の向上が期待できる。
【発明を実施するための最良の形態】
【００１４】
以下、本発明の実施形態を図面に基づいて詳細に説明する。
【００１５】
図１，２は、本発明の実施形態に係るプリント注文受付装置を備えたプリントシステムを示しており、このシステムは複数のプリント注文受付装置（以下、受付装置とも略称する）１と、銀塩式の印画紙５に画像情報のプリントを行うデジタル型の写真プリント装置３とをデータ伝送ネットワーク２によって接続することによって構成されている。このプリントシステムは、例えばＤＰ店における既設の写真プリント装置３に、ネットワークケーブル２ａとハブ２ｂを含むデータ伝送ネットワーク２と、２台の受付装置１とを追加することにより構築することができる。尚、受付装置１同士や受付装置１と写真プリント装置３との間のデータ伝送ネットワーク２の構築には、例えばＴＣＰ／ＩＰ通信プロトコルを用いてもよいし、他の通信プロトコルを採用してもよい。
【００１６】
このシステムでは、以下の手順でプリント注文の受け付けからプリントの受け渡しまでを行う。つまり、受付装置１は、デジタルカメラ等で撮影された画像情報を記憶するカード型の記憶媒体やディスク型の記憶媒体（以下、これらを総称してメディアＭ１ともいう）からプリント出力の注文対象となる画像情報と、プリント枚数等のプリント出力に関する注文情報とを受け付けると共に、その受付時に受付証を顧客に発行する。顧客がその受付証をＤＰ店のカウンターで担当者に提示することにより、その担当者は受付証に記録された受付情報に基づいて写真プリント装置３を操作することによって、受付装置１に一時格納されている画像情報と注文情報とからなるプリント情報を、データ伝送ネットワーク２を介して写真プリント装置３に取り込み、写真プリント装置３がそのプリント情報に基づいてプリントを行う。プリント後の印画紙５ｂは、担当者から顧客に代金と引き替えに手渡される。
【００１７】
（受付装置の構成）
次に受付装置１の構成について説明する。図３は、受付装置１の外観を示していて、この受付装置１は、表示面に入力手段としてのタッチパネル１３を形成した液晶型のディスプレイ１２（表示手段）と、メディアＭ１に記憶されている情報を読み込む読込手段としてのメディアドライブ１１と、受付証を発行する熱転写式の受付証プリンタ１５と、を備え、ディスプレイ１２及び受付証プリンタ１５はそれぞれ筐体１０の上面に、メディアドライブ１１は筐体１０の前面に設けられている。ここで、上記メディアドライブ１１は、フラッシュメモリ等による複数種類のカード型記憶媒体（メモリカード）、及びディスク型記憶媒体（ＣＤ−ＲＯＭ，ＭＯ等）に対応したマルチドライブである。
【００１８】
また、受付装置１の筐体１０には、汎用コンピュータによって構成される、制御手段としてのコントローラ２０と、ハードディスク１４とが内蔵されている。
【００１９】
コントローラ２０の機能は、データ伝送ネットワーク機能を有する汎用コンピュータと実質的に同様であり、前記メディアドライブ１１やタッチパネル１３との間の情報のやりとり、取得した画像情報や注文情報から、写真プリント装置３によるプリント出力に用いられるプリント情報の作成、ハードディスク１４への格納管理、発光素子や圧電ブザーでなるアラーム１７、及び受付証プリンタ１５の制御等を行う。
【００２０】
このコントローラ２０には汎用オペレーティングシステムを採用してもよく、それによって受付装置１に必要とされる各種機能を、このオペレーションシステムが有する各種プログラムやこのオペレーションシステム上で動作するように作成された各種プログラムによって付属ハードウエアと協働しながら容易に作り出すことができる。
【００２１】
尚、上記ハードディスク１４は、ネットワークドライブとしてデータ伝送ネットワーク２上に開放されており、写真プリント装置３や他の受付装置１から、そのハードディスク１４に格納されているプリント情報等にアクセスすることが可能にされている。
【００２２】
コントローラ２０には、図４に示すように、Ｉ／Ｏインタフェースを介してメディアドライブ１１やハードディスク１４等の外部機器が接続されており、これにより、コントローラ２０は、上記メディアドライブ１１との間の情報のアクセスと、タッチパネル１３との間の情報のアクセスと、ハードディスク１４との間の情報のアクセスと、が可能に構成されかつ、ディスプレイ１２に対する画面の出力と、上記受付証プリンタ１５に対する情報の出力と、上記アラーム１７に対する信号の出力と、が可能に構成されている。
【００２３】
また、コントローラ２０は、ネットワークインタフェース２ｃを介してネットワークケーブル２ａとハブ２ｂとを含むデータ伝送ネットワーク２によって、後述する写真プリント装置３のコントローラ４０とＬＡＮ（Local Area Network）接続され、所定のプロトコルで互いに情報のアクセスを行えるよう構成される。
【００２４】
そして、コントローラ２０は、作業領域が形成されるＲＡＭ型の半導体メモリや、プログラムやパラメータが保存されるＲＯＭ型の半導体メモリの総称としてのメモリ２１と、画像情報処理部２２と、表示制御部２３と、入力処理部２４と、注文情報処理部２５と、注文情報保存部２６と、受付証発行処理部２７と、を含んでおり、これらの各部２１〜２７がデータバスを介して互いの情報をアクセス自在に構成されている。
【００２５】
上記画像情報処理部２２は、メディアドライブ１１によってメディアＭ１から読み出した画像情報（ＪＰＥＧやＴＩＦＦ等であり、撮影画像データ等を含む）をサムネイル形式（以下、サムネイル画像と称する）でディスプレイ１２に表示するための処理を実行する機能を有する。つまり、この画像情報処理部２２は、メディアＭ１にサムネイル画像が含まれる場合には、そのサムネイル画像が表示制御部２３によってディスプレイ１２に表示されるようにし、サムネイル画像が存在しない場合には、オリジナルの画像情報からサムネイル画像を生成して、その作成したサムネイル画像が表示制御部２３によってディスプレイ１２に表示されるようにする。
【００２６】
上記表示制御部２３は、ディスプレイ１２に各種画面を表示する機能を有しており、プリント注文の受付処理に係る機能としては、ハードディスク１４に記憶されている各種の画面データを読み出して、これをディスプレイ１２に表示させる機能を有する。一方、上記入力処理部２４は、タッチパネル１３を顧客が操作することに応じて出力される、該タッチパネル１３からの入力信号を処理する機能を有しており、具体的には、顧客が接触操作したタッチパネル１３上の座標情報を検出し、その検出した座標情報とディスプレイ１２に表示している画面内容とを照らし合わせて、顧客の入力内容を認識し、その認識結果を他の各部２１〜２７に提供する。
【００２７】
上記注文情報処理部２５は、入力処理部２４で処理された信号に応じて、換言すれば顧客によって入力されたプリントサイズやプリント枚数等から注文情報を作成する機能を有する。
【００２８】
上記注文情報保存部２６は、上記注文情報処理部２５で作成された注文情報と、メディアドライブ１１によってメディアＭ１から読み出した画像情報とを、注文番号等を付してハードディスク１４の共有フォルダに階層的に格納する機能を有する。それによって、注文情報及び画像情報は、共有フォルダの階層下に注文毎に形成される、注文番号を付したフォルダによって管理される。
【００２９】
上記受付証発行処理部２７は、プリントすべき画像情報とそのプリント枚数とが最終的に決定した場合に、注文の明細、端末ＩＤ及び注文ＩＤ等を、受付証プリンタ１５によってプリントして受付証ｒｅとして出力する機能を有する。
【００３０】
図１９は、受付証プリンタ１５を通じて顧客に発行される受付証の一例を示す。この例では、「受付証本体」と「お客様控え」とが連なった形態となっており、即日に写真のプリントを手渡せない場合には、受付証本体とお客様控えとを切り離し、受付証本体をＤＰ店の控えとして残し、お客様控えを顧客に手渡す処理も可能にしている。受付証本体及びお客様控えは互いに同じ内容であり、お客様名、電話番号、受付ＩＤ、端末ＩＤ、受付日、注文番号等の他に注文の詳細を示す内容がプリントされている。出力された受付証ｒｅは、上述のようにサービスカウンターで提示するために使用される。そして、ＤＰ店の担当者は、受付証ｒｅに記載されている端末ＩＤと注文番号とから、画像情報と注文情報とが保存されている端末及びプリント対象となっているディレクトリを特定して、注文情報と画像情報とを読み出してプリント処理を行うことになる。
【００３１】
以上の構成により上記コントローラ２０は、プリント注文の受付処理として、メディアＭ１の画像情報をメディアドライブ１１を通じて取り込んで、これをサムネイル画像としてディスプレイ１２に表示すると共に、後述する各プリント注文画面においてタッチパネル１３から出力された選択・設定信号に基づいて注文情報を作成し、作成した注文情報を画像情報と共にハードディスク１４に保存すると共に、受付証プリンタ１５から受付証ｒｅを発行する。その後上記コントローラ２０は、上記写真プリント装置３からの要求に応じて、画像情報と注文情報とを写真プリント装置３に転送する。
【００３２】
（写真プリント装置の構成）
次に、写真プリント装置３の構成について説明する。この写真プリント装置３は、図１，２に示すように、テーブル状に形成されたオペレート部３ａと現像処理部３ｂとを一体化した装置本体３０と、この装置本体３０から分離して配置されたスキャナユニット３１とを備えている。
【００３３】
装置本体３０のオペレート部３ａの下部には、印画紙マガジン５ａからの印画紙５をプリントサイズに切断して、印画紙搬送機構３２ｂによってデジタル型の露光ヘッド３２ａに供給する露光系が内装されている。
【００３４】
露光ヘッド３２ａはここでは、印画紙５の搬送方向と直交する方向にレーザービームを送出して走査を行う形式のものを使用しているが、この露光ヘッド３２ａとしては蛍光ビーム方式、液晶シャッター方式、ＤＭＤ方式又はＦＯＣＲＴ等の使用が可能である。
【００３５】
また、現像処理部３ｂには、露光ヘッド３２ａで露光された印画紙５の現像処理を行う現像処理槽３３が内装されており、この現像処理槽３３で現像処理が行われた印画紙５は、乾燥の後、現像処理部３ｂの上面の横送りコンベア３４ａに送出される。そして、この横送りコンベア３４ａからの印画紙５は仕分けコンベア３４ｂに送出される。
【００３６】
オペレート部３ａは、ＣＤ−ＲＯＭ及びＤＶＤからの情報の読み出し並びにＣＤ−Ｒに対する情報の書き込みを行うコンボドライブ３５と、メモリカードやＭＯ等各種のメディアに対応したマルチドライブ３６と、画像情報や各種情報等の表示を行うディスプレイ３７と、入力機器としてのキーボード３８及びマウス３９と、を備えている。
【００３７】
そして、このオペレート部３ａの下部にはマイクロプロセッサを有したコントローラ４０が設けられており、このコントローラ４０には、上述したように、ネットワークインタフェースを介して両受付装置１，１がネットワーク接続されている。
【００３８】
上記スキャナユニット３１は、底部にキャスタを備えた筐体３１ａの上面に交換自在に設けられたフィルムキャリア３１ｂと、筐体３１ａ内部に設けられかつ、光学レンズやＣＣＤ等の光電変換素子を有する光電変換部（図示せず）と、筐体３１ａ内部に備えた光源から光ファイバーを介して送られる光線をフィルムキャリア３１ｂの上面側に導くアーム３１ｃと、を備えている。そして、写真フィルムＭ２のスキャニングを行う場合には、ネガティブフィルム又はポジティブフィルムをフィルムキャリア３１ｂにセットし、このフィルムキャリア３１ｂによって写真フィルムＭ２を設定速度で移動させながら、アーム３１ｃの先端から下方に向けて照射する光線により写真フィルムＭ２の各コマの画像情報を光電変換部でデジタル信号化し、ケーブル３１ｄを介してコントローラ４０に転送する。
【００３９】
上記コントローラ４０は汎用コンピュータからなり、例えば汎用のオペレーションシステムを採用することによって、そのオペレーションシステムが有する各種プログラムやこのオペレーションシステム上で動作するように作成された各種プログラムによって、付属ハードウエアと協働しながら写真プリント装置３に必要とされる各種機能が作り出される。
【００４０】
すなわち、コントローラ４０は、ディスプレイ３７に各種の画像を表示させると共に、その表示に対してキーボード３８又はマウス３９から出力された信号を受け、それによって、担当者の操作内容に応じた処理を行う。具体的にコントローラ４０は、プリント注文に対する処理として、キーボード３８又はマウス３９からの入力信号に応じて、受付装置１から注文情報及び画像情報を取得し、又はスキャナユニット３１から画像情報を取得して、それらの情報をコントローラ４０のメモリ（図示省略）や、コントローラ４０に接続されたハードディスク（図示省略）に記憶させると共に、担当者の操作に応じて画像情報の補正を行ってその補正情報を上記メモリやハードディスクに記憶させる。そして、コントローラ４０は、画像情報（及び補正情報）に基づいて露光ヘッド３２ａや印画紙搬送機構３２ｂを制御する。それによって、印画紙５にプリントが行われる。
【００４１】
（プリント注文の受付処理）
次に、受付装置１におけるプリント注文の受付処理について説明する。この注文受付処理は、ディスプレイ１２とタッチパネル１３とを用いた、装置と顧客との間の対話形式で行われる。つまり、コントローラ２０の表示制御部２３は、プリント注文に関する画面であるプリント注文画面をディスプレイ１２に表示させ、そのプリント注文画面において顧客がタッチパネル１３を接触操作することに応じてタッチパネル１３から出力された入力信号がコントローラ２０の入力処理部２４に入力される。このことによって、受付装置１が顧客の入力操作を受け付けることになる。
【００４２】
そして、プリント注文の受付処理では、表示制御部２３が、後述するようにプリント注文画面として「サービス選択画面」「メディア選択画面」「メディアセット案内画面」「プリントサイズ選択画面」「プリント枚数設定画面」「名前入力画面」「電話番号入力画面」「注文内容確認画面」「メディア取り出し案内画面」「受付証発行案内画面」を順にディスプレイ１２に表示し、顧客が各画面においてタッチパネル１３を操作することによって、その操作内容に応じた入力信号がタッチパネル１３から入力処理部２４に入力され、そのことによりプリント注文に必要な複数の設定項目が設定されてプリント注文の受付が完了することになる。
【００４３】
ここで、「サービス選択画面」「メディア選択画面」「メディアセット案内画面」「プリントサイズ選択画面」「プリント枚数設定画面」「名前入力画面」「電話番号入力画面」「注文内容確認画面」及び「メディア取り出し案内画面」並びに必要に応じてディスプレイ１２に表示される「画像補正画面」の各プリント注文画面は、タッチパネル１３によって操作される操作アイコンを含む操作領域と、操作アイコンを含まない非操作領域とに分けられていると共に、その操作領域は、各プリント注文画面における上下方向の下側に設けられることによって、複数のプリント注文画面間で互いに同じ位置とされている。
【００４４】
図５は、受付装置１のコントローラ２０が実行する、プリント注文の受付処理のメインフローを示している。このフローのステップＳ１では、受付装置１は待機状態にあり、この待機状態では、ディスプレイ１２に受付装置１の機能やＤＰ店のロゴマーク等を含む待機画面（図７参照）が表示される。この待機画面には「画面に触れてください」とのメッセージが表示されており、プリント注文を行う顧客にディスプレイ１２に触れることを促す。
【００４５】
そして、顧客がディスプレイ１２のタッチパネル１３に指を接触させることにより、フローはステップＳ２へ進み、図８に示す「サービス選択画面」が表示される。この画面の非操作領域には「サービスを選択してください」とのメッセージと共に、プリントの受付を行うプリント受付アイコンと、メディア保存受付を行うメディア保存受付アイコンと、テンプレートを利用したプリントの受付を行うデザインプリント受付アイコンと、携帯電話機に保存されている画像情報のプリントの受付を行う携帯プリント受付アイコンと、各アイコンを選択するためのカーソル５０と、が表示され、顧客に対しサービスの選択を求める。
【００４６】
また、「サービス選択画面」の操作領域には、カーソル５０を画面上で上下左右に移動させるためのカーソル移動ボタン（操作アイコン）５１と、選択を確定するためのＯＫボタン（操作アイコン）５４と、が表示されている。
【００４７】
そうして「サービス選択画面」において、いずれかの受付アイコンが選択された状態でＯＫボタン５４が操作されることによって、メインフローはステップＳ３へと進む。尚、「サービス選択画面」において、メディア保存受付が選択された場合には、メディア保存の処理としてメディアＭ１に保存された画像情報を、写真プリント装置３に転送して、写真プリント装置３においてＣＤ−ＲやＭＯに保存する処理が行われるが、その処理の受付手順（注文内容設定処理）は、プリントを受け付ける場合の手順と基本的に同じ形態であるため、ここではその説明を省略する。また、デザインプリント受付又は携帯プリント受付が選択された場合の受付手順も、プリントを受け付ける場合の手順と基本的に同じ形態であるため、ここではその説明を省略する。従って、ここではプリント受付が選択された場合について、以下のステップの説明をする。
【００４８】
ステップＳ３においては、注文内容設定処理が行われる。この注文内容設定処理では、顧客の入力・設定内容に基づいて注文情報処理部２５が注文情報を作成する。
【００４９】
この注文内容設定処理は、図６に示すサブフローに従って実行され、先ずステップＳＡ１においては、図９に示す「メディア選択画面」を表示する。この「メディア選択画面」の非操作領域には「メディアを選択してください」とのメッセージと共に、メディアを選択するための複数のメディアアイコン及びカーソル５０が表示されて、顧客にメディアの選択を求める。
【００５０】
「メディア選択画面」の操作領域には、カーソル移動ボタン５１、ＯＫボタン５４の他に、処理を中止するための中止ボタン（操作アイコン）５２ｃ及び前の処理に戻るための戻るボタン（操作アイコン）５２ｄが表示される。
【００５１】
そして、「メディア選択画面」において、顧客が使用するメディアに対応するメディアアイコンが選択された状態で、ＯＫボタン５４が接触操作されることによって、フローはステップＳＡ２へ進む。
【００５２】
ステップＳＡ２においては、図１０に示す「メディアセット案内画面」を表示する。この画面の非操作領域には「メディアをセットして、ＯＫボタンを押してください」とのメッセージと共に、ステップＳＡ１において顧客が選択したメディアをセットする際の具体的な画像が表示される。
【００５３】
また、「メディアセット案内画面」の操作領域には、ＯＫボタン５４、中止ボタン５２ｃ及び戻るボタン５２ｄが表示される。
【００５４】
「メディアセット案内画面」において、顧客がメディアドライブ１１にメディアＭ１をセットしＯＫボタン５４を操作することで、フローはステップＳＡ３へ進み、ステップＳＡ３では、画像情報処理部２２が、セットされたメディアＭ１から画像情報を読み出す。その後、ステップＳＡ４へ進む。
【００５５】
ステップＳＡ４においては、図１１に示す「プリントサイズ選択画面」を表示する。この画面の非操作領域には「プリントサイズを選択してください」とのメッセージと共に、複数のプリントサイズに対応したサイズ指定アイコンとカーソル５０とが表示される。このサイズ指定アイコンにはプリントサイズを示す「Ｌ版」や「２Ｌ版」等の文字の他に、プリントサイズを示す数値と、プリントの単価と、プリントの基本料金とが表示される。
【００５６】
この「プリントサイズ選択画面」の操作領域には、カーソル移動ボタン５１、ＯＫボタン５４、中止ボタン５２ｃ及び戻るボタン５２ｄが表示され、「プリントサイズ選択画面」において、顧客がいずれかか１つのサイズ指定アイコンを選択した状態でＯＫボタン５４を操作することで、コントローラ２０の注文情報処理部２５は、入力されたプリントサイズを注文情報としてメモリ２１に記憶させる。その後、フローは、ステップＳＡ５へ進む。
【００５７】
ステップＳＡ５においては、図１２に示す「プリント枚数設定画面」を表示する。ステップＳＡ５では、プリントする画像の選択、及びプリント枚数の設定が行われる。
【００５８】
この画面には、その非操作領域に「プリント枚数を設定してください」とのメッセージと、メディアＭ１から読み出された画像情報の複数のサムネイル画像Ｓと、カーソル５０とが表示される。「プリント枚数設定画面」は、ここでは８つのサムネイル画像Ｓを１ページとして表示するよう設定されており、１ページ中のサムネイル画像Ｓはファイル名順に表示される。また、各サムネイル画像Ｓのフレーム５６の上段には、画像情報を特定するファイルの名称、ファイルの種類を示す拡張子及びデータサイズがそれぞれ表示され、フレーム５６の下段には、プリント枚数を示す数値を表示するプリント枚数表示エリア５７が形成される。
【００５９】
この「プリント枚数設定画面」では初期状態において、全てのサムネイル画像Ｓのフレーム５６の下段のプリント枚数表示エリア５７の数値が「０」に設定される。
【００６０】
この「プリント枚数設定画面」の操作領域には、それぞれ操作アイコンである、カーソル移動ボタン５１と、中止ボタン５２ｃと、選択された画像情報のプリント枚数を１枚ずつ増加させるプラスボタン５６ｂと、選択された画像情報のプリント枚数を１枚ずつ減少させるマイナスボタン５６ｃと、選択された画像情報の補正を行うための補正ボタン５７ｃと、注文を完了するＯＫボタン５４と、前のページを表示させるための戻るボタン５６ｄと、次のページを表示させるための進むボタン５６ｅと、がそれぞれ表示される。
【００６１】
プラスボタン５７ａを操作することによって、選択されている画像情報のプリント枚数が１増加し、マイナスボタン５７ｂを操作することによって、選択されている画像情報のプリント枚数が１減少し、その設定枚数がプリント枚数表示エリア５７に表示される。尚、画像情報のプリント枚数を１以上に設定することは、同時にプリント出力する画像情報を選択することを意味する。
【００６２】
また、戻るボタン５６ｄと進むボタン５６ｅとの間には、ページを示す数字（ページ総数を示す数字に対して現在表示中のページ番号を示す数字）が表示される。さらに、操作領域の中央位置には情報エリアＤＥが表示される。この情報エリアＤＥには、選択されたプリントサイズの情報、メディアＭ１から取り込んだ画像情報の合計枚数、プリント出力を選択した画像情報の数（選択画像数）、プリント１枚の単価及び合計金額が表示される。
【００６３】
さらに、補正ボタン５７ｃを操作することによって、選択されている画像情報を補正するための「画像補正画面」が、「プリント枚数設定画面」に代わってディスプレイ１２に表示される。
【００６４】
「画像補正画面」は、図１８に示すように構成されており、その非操作領域には、「位置・大きさ、色・濃度の調整をしてください」とのメッセージと共に、補正を行う画像を含んだ画像フレーム部５８と、この画像の色合いを調整する各種のアイコンが表示された色合い調整部５９とが表示される。
【００６５】
上記画像フレーム部５８の中央には画像が表示され、この画像にはトリミング領域を示す長方形状の枠が表示されている。また、画像フレーム部５８には、画像を回転させるためのアイコンとして、画像の四隅に対応する位置それぞれに、画像を左方向へ９０°回転させるアイコン、画像を右方向へ９０°回転させるアイコン、画像を右方向へ任意に回転させるアイコン、画像を左方向へ任意に回転させるアイコンが設けられている。また、画像を平行移動させるためのアイコンとして、画像の上下左右の縁に対応する位置それぞれに、画像を上方向に移動させるアイコン、画像を右方向に移動させるアイコン、画像を下方向に移動させるアイコン、画像を左方向に移動させるアイコンが設けられている。さらに、画像フレーム部５８の下部には、画像を拡大・縮小する拡大アイコン及び縮小アイコンと、画像のトリミングを元に戻すアイコンとが設けられている。
【００６６】
上記色合い調整部５９には、画像のコントラストを調整するコントラストプラスアイコン及びコントラストマイナスアイコンと、画像の赤色を調整する赤色プラスアイコン及び赤色マイナスアイコンと、画像の緑色を調整する緑色プラスアイコン及び緑色マイナスアイコンと、画像の青色を調整する青色プラスアイコン及び青色マイナスアイコンとが表示されており、各プラスアイコンとマイナスアイコンとの間には、各色合いの状態を示すインジケータが表示されている。また、色合い調整部５９の上部には、色調整を元に戻すアイコンが表示されている。
【００６７】
そして、この「画像補正画面」の操作領域には、上記の各アイコンを選択するためのカーソル移動ボタン５１及び選択したアイコンを実行するための実行ボタン５３、ＯＫボタン５４、中止ボタン５２ｃ、戻るボタン５２ｄがそれぞれ表示されていると共に、画像の倍率とプリントサイズとが表示されている。
【００６８】
「画像補正画面」においては、カーソル移動ボタン５１及び実行ボタン５３を接触操作することによって、画像を回転、移動、拡大又は縮小させたり、画像の色合いを調整したりすることができる。そして、ＯＫボタン５４を接触操作することによって、画像の補正が完了して、「画像補正画面」から「プリント枚数設定画面」へ戻ることになる。
【００６９】
そうして「プリント枚数設定画面」において、顧客がプリント出力する画像情報を選択すると共にプリント枚数を設定し、また必要に応じて画像情報を補正した後、ＯＫボタン５４を接触操作することで、プリント枚数の設定が終了する。
【００７０】
ＯＫボタン５４が操作されると、注文情報処理部２５は、「プリント枚数設定画面」において顧客が設定した内容（プリント出力する画像情報、プリント枚数及び画像補正の設定内容）に基づいて、注文情報を作成する。その後、注文内容設定処理のサブフローは終了し、メインフローへと戻る。
【００７１】
図５のメインフローにおいて、ステップＳ４では図１３に示す「名前入力画面」が表示される。この画面の非操作領域には、「名前を入力してください」とのメッセージが表示されると共に、名前表示部とキーボードとを有した入力ボード６０が表示される。
【００７２】
また、「名前入力画面」の操作領域には、カーソル移動ボタン５１、中止ボタン５２ｃ、及び戻るボタン５２ｄが表示されると共に、カーソルによって選択した文字を入力するための実行ボタン５３が表示される。
【００７３】
顧客がカーソル移動ボタン５１と実行ボタン５３とを操作することによって、キーボード上の文字を選択して名前を入力すると、操作領域にＯＫボタン５４が表示され、顧客がそのＯＫボタン５４を操作することにより、入力された名前がメモリ２１に記憶される。
【００７４】
続くステップＳ５においては、図１４に示す「電話番号入力画面」が表示される。この画面の非操作領域には「電話番号を入力してください」とのメッセージが表示されると共に、電話番号表示部とキーボードとを有した入力ボード６１が表示される。また、その操作領域には、カーソル移動ボタン５１、中止ボタン５２ｃ、戻るボタン５２ｄ、及び実行ボタン５３が表示される。
【００７５】
顧客がカーソル移動ボタン５１と実行ボタン５３とを操作することによって、キーボード上の数字を選択して電話番号を入力すると、操作領域にＯＫボタン５４が表示され、顧客がそのＯＫボタン５４を操作することにより、入力された電話番号がメモリ２１に記憶される。その後、ステップＳ６に進む。
【００７６】
尚、顧客の名前や電話番号を入力する処理は、プリントを行う上で必須の事項でないので入力がない場合でも次の処理に移行できるよう処理形態を設定することもできる。顧客の名前の入力がない場合には、受付装置１が生成した番号や符号を自動的に入力するよう処理形態を設定するとよい。
【００７７】
ステップＳ６においては、図１５に示す「注文内容確認画面」が表示される。この画面の非操作領域には「注文の内容を確認してください」とのメッセージが表示されると共に、メモリ２１に記憶されている、顧客が入力したプリントの注文情報の詳細と、そのプリント料金とを一覧化した確認シート６２が表示される。また、操作領域には、ＯＫボタン５４と、中止ボタン５２ｃと、戻るボタン５２ｄとが表示される。
【００７８】
確認シート６２の表示内容に誤りがなければ、顧客がＯＫボタン５４を操作することで、ステップＳ７において、上記ハードディスク１４の共有フォルダに注文番号を付した名前のフォルダが作成され、そのフォルダに上記注文情報と画像情報と受付ＩＤや端末ＩＤ等のＩＤ情報が記憶される。このように注文情報及び画像情報にＩＤ情報を付して保存する処理を上記注文情報保存部２６が行う。
【００７９】
ステップＳ８においては、図１６に示す「メディア取り出し案内画面」が表示される。この画面の非操作領域には「メディアを取り出してください」とのメッセージが表示され、操作領域には、ＯＫボタン５４と、中止ボタン５２ｃと、戻るボタン５２ｄとが表示される。
【００８０】
顧客が当該画面の表示に従いメディアＭ１を取り出し、ＯＫボタン５４を操作することでフローはステップＳ９へ進み、次の処理が実行される一方、メディアＭ１を取り出さずにＯＫボタン５４を操作した場合には、アラーム１７を作動させて電子音で誤操作であることを認識させる。
【００８１】
ステップＳ９においては、次の処理として、図１７に示す「受付証発行案内画面」が表示される。この画面には「受付証を発行中です。しばらくお待ちください。」「受付証はカウンターに持参してください。」とのメッセージが表示され、ステップＳ１０において、コントローラ２０の受付証発行処理部２７によって受付証プリンタ１５を介して受付証ｒｅがプリントされて送り出される。このように受付証ｒｅが発行されると、受付処理の全てが終了して待機画面に復帰する。
【００８２】
従って、本実施形態では、ディスプレイ１２に表示される各プリント注文画面（図８〜１６，１８）が、操作アイコンを含む操作領域と、操作アイコンを含まない非操作領域とに分けられかつ、その操作領域が複数のプリント注文画面間で同じ位置に配置されるため、操作者は各プリント注文画面において、どの位置に操作アイコンが位置しているかを容易に理解することができる。その結果、顧客は表示面上の誤った位置を接触操作することがなくなり、顧客による操作の動作が的確に行われると共に、その操作に要する時間の短縮が期待できる。
【００８３】
また、操作領域を同じ位置に配置することによって、タッチパネル１３において操作者が接触する部分は、その操作領域に相当する部分に限定される。その結果、非接触領域に相当する部分が汚れることは抑制される。その結果、例えば図１８に示す「画像補正画面」では画像情報を比較的きれいな状態で表示することができるという利点がある。
【００８４】
尚、本発明は、上記の構成に限るものではなく様々な実施の形態を含む。例えば上記実施形態では操作領域を、各プリント注文画面の下側部分に配置したが、操作領域の位置はこれに限るものではなく、適宜設定すればよい。
【００８５】
また、上記実施形態のプリントシステムは、受付装置１と写真プリント装置３とをネットワーク２で接続して構成しているが、受付装置とプリント装置とが一体となったプリント注文受付・プリント装置に、本発明を適用してもよい。
【００８６】
さらに、上記プリント注文受付装置１が適用されるプリントシステムのプリント装置は、上記実施形態の如く銀塩式のプリント装置に限らず、インクジェット式や熱転写式のプリント装置であってもよい。
【産業上の利用可能性】
【００８７】
以上説明したように、本発明は、表示される各画面において操作アイコンを含む操作領域の位置を統一することにより、操作者によるタッチパネル式の入力手段の操作の容易化が図られるため、一般の顧客が操作することになるプリント注文受付装置に特に有用である。
【図面の簡単な説明】
【００８８】
【図１】本発明の実施形態に係るプリント注文受付装置を備えたプリントシステムの全体斜視図である。
【図２】プリントシステムの構成を示すブロック図である。
【図３】受付装置の斜視図である。
【図４】受付装置のコントローラにおける機能を説明する機能ブロック図である。
【図５】受付処理を示すフローチャートである。
【図６】注文内容設定処理を示すフローチャートである。
【図７】待機画面を示す図である。
【図８】サービス選択画面を示す図である。
【図９】メディア選択画面を示す図である。
【図１０】メディアセット案内画面を示す図である。
【図１１】プリントサイズ選択画面を示す図である。
【図１２】プリント枚数設定画面を示す図である。
【図１３】名前入力画面を示す図である。
【図１４】電話番号入力画面を示す図である。
【図１５】注文内容確認画面を示す図である。
【図１６】メディア取り出し案内画面を示す図である。
【図１７】受付証発行案内画面を示す図である。
【図１８】画像補正画面を示す図である。
【図１９】受付証を示す図である。
【符号の説明】
【００８９】
１    プリント注文受付装置
１１  メディアドライブ（読込手段）
１２  ディスプレイ（表示手段）
１３  タッチパネル（入力手段）
１４  ハードディスク（記憶手段）
２０  コントローラ（制御手段）
２３  表示制御部
２４  入力処理部
２５  注文情報処理部
２６  注文情報保存部
【図１】
2006331230.tif 000003
【図２】
2006331230.tif 000004
【図３】
2006331230.tif 000005
【図４】
2006331230.tif 000006
【図５】
2006331230.tif 000007
【図６】
2006331230.tif 000008
【図７】
2006331230.tif 000009
【図８】
2006331230.tif 000010
【図９】
2006331230.tif 000011
【図１０】
2006331230.tif 000012
【図１１】
2006331230.tif 000013
【図１２】
2006331230.tif 000014
【図１３】
2006331230.tif 000015
【図１４】
2006331230.tif 000016
【図１５】
2006331230.tif 000017
【図１６】
2006331230.tif 000018
【図１７】
2006331230.tif 000019
【図１８】
2006331230.tif 000020
【図１９】
2006331230.tif 000021